(57)【特許請求の範囲】
【請求項１】
端末装置からネットワークを介して印刷装置に印刷情報を送信して、印刷装置により印刷情報の印刷を行なうネットワーク印刷システムにおいて、
端末装置側に、
印刷時に印刷情報を第一の記憶手段に格納してあるユーザ情報により暗号化すると共に、当該ユーザ情報を予め取得して第二の記憶手段に格納してある出力先印刷装置固有の共通鍵により暗号化して、暗号化印刷情報に対して暗号化ユーザ情報を添付して、印刷データを生成する第一の処理手段と、
印刷装置へのユーザ登録用情報として、上記印刷装置固有の共通鍵により暗号化したユーザ情報を含むユーザ登録用データを生成する第二の処理手段とを有し、
印刷装置側に、
ネットワークを介して受信したデータが、印刷データかユーザ登録用データかを判断する第三の処理手段と、
受信データがユーザ登録用データの場合、前もって取得して第三の記憶手段に格納してある共通鍵と同じ鍵を用いているかを判定し、正しければ当該ユーザ登録用データをユーザ情報として第四の記憶手段に登録する第四の処理手段と、
受信データが印刷データの場合、受信データ中のユーザ登録用データに一致するユーザ情報が第四の記憶手段に登録されているかを判定する第五の処理手段と、
当該ユーザ情報により暗号化印刷データを復号化する第六の処理手段とを有する
ことを特徴とするネットワーク印刷システム。
【請求項２】
前記第一の記憶手段が、ユーザ名，パスワードのユーザ情報を格納することを特徴とする請求項１記載のネットワーク印刷システム。
【請求項３】
前記第一の処理手段が、ユーザ名とパスワードよりユーザ情報を特定し、さらにカメラによるユーザの顔画像の特徴情報を取得し、特定したユーザ情報および特徴情報により印刷情報を暗号化すると共に、ユーザ情報および特徴情報を印刷装置毎の共通鍵により暗号化し、暗号化した印刷情報および暗号化したユーザ情報を一つの印刷データにすることを特徴とする請求項１記載の印刷システム。
【請求項４】
前記第二の処理手段が、ユーザにより設定されたユーザ情報と、データ作成時に撮影されたユーザの顔画像の特徴情報とを、印刷装置毎の共通鍵により暗号化して、ユーザ登録用データを作成することを特徴とする請求項１記載の印刷システム。
【請求項５】
前記第二の記憶手段が、印刷装置毎の共通鍵を格納することを特徴とする請求項１記載の印刷システム。
【請求項６】
前記第三の処理手段が、受信したデータが印刷データであるか登録データであるかを判別すると共に、正しい共通鍵により暗号化しているかを判別することを特徴とする請求項１記載の印刷システム。
【請求項７】
前記第四の処理手段が、ユーザ登録用データを共通鍵により復号化し、復号化したユーザ登録用データから共通鍵毎にユーザ登録用データを抽出し、抽出したユーザ登録用データを、前記第四の記憶手段に登録することを特徴とした請求項１記載の印刷システム。
【請求項８】
前記第五の処理手段が、受信したデータが印刷データの場合、受信データ中のユーザ情報を取り出し、前期第四の記憶手段中に一致するユーザ情報があるか否かを、ユーザ名、パスワード、顔画像情報により判定することを特徴とする請求項１記載の印刷システム。
【請求項９】
前記第六の処理手段が、第四の記憶手段に格納されているユーザ情報により、暗号化印刷データ中のユーザ情報以外の部分を復号化することを特徴とした請求項１の印刷システム。
【発明の詳細な説明】
【０００１】
【発明の属する技術分野】
本発明は、端末装置からネットワーク接続された印刷装置により印刷を行なうネットワーク印刷システムに関し、特にファイアウォール等の設定が難しい環境や、プリンタがサーバを伴わず直接ネットワークに接続されている環境の場合におけるユーザの使用制限の技術に関する。
【０００２】
【従来の技術】
従来、ネットワーク印刷システムにおける情報漏洩を防止するために、種々の技術が開発されている。
例えば、端末装置から転送された印刷データを印刷装置内に一旦格納して、印刷装置側で正規のユーザのみの指示により印刷情報の出力を開始するような技術が、特開平７−１５２５２０号に開示されており、また指紋や音声等の生体情報を利用して正規ユーザの判定を行なう技術が、例えば特開２００１−１８４３１１号や特開２００１−２６５３８６号に開示されている。
【０００３】
【発明が解決しようとする課題】
しかしながら、従来の技術においては、印刷データを送信した正規のユーザが、印刷装置の設置してある場所まで出向いて、例えば音声や指紋といった生体情報等の個人識別情報を入力し、個人識別情報の照合の結果が正しければ印刷を実行するように構成されていることから、印刷データを実行しようとするユーザと印刷装置との距離には制約が生ずることになってしまう。
【０００４】
本発明は、上記の問題を解決するためになされたものであり、印刷装置とユーザの印刷データに一対一の関係をつくることによって、第三者への印刷データの漏洩を防止すると共に、印刷装置とユーザの距離に関する制約をなくすようにした、ネットワーク印刷システムの提供を目的とする。
【０００５】
【課題を解決するための手段】
この目的を達成するため、本発明の請求項１記載の印刷システムは、端末装置からネットワークを介して印刷装置に印刷情報を送信して、印刷装置により印刷情報の印刷を行なうネットワーク印刷システムにおいて、
端末装置側に、印刷時に印刷情報を第一の記憶手段に格納してあるユーザ情報により暗号化すると共に、当該ユーザ情報を予め取得して第二の記憶手段に格納してある出力先印刷装置固有の共通鍵により暗号化して、暗号化印刷情報に対して暗号化ユーザ情報を添付して、印刷データを生成する第一の処理手段と、印刷装置へのユーザ登録用情報として、上記印刷装置固有の共通鍵により暗号化したユーザ情報を含むユーザ登録用データを生成する第二の処理手段とを有し、
印刷装置側に、ネットワークを介して受信したデータが、印刷データかユーザ登録用データかを判断する第三の処理手段と、受信データがユーザ登録用データの場合、前もって取得して第三の記憶手段に格納してある共通鍵と同じ鍵を用いているかを判定し、正しければ当該ユーザ登録用データをユーザ情報として第四の記憶手段に登録する第四の処理手段と、受信データが印刷データの場合、受信データ中のユーザ登録用データに一致するユーザ情報が第四の記憶手段に登録されているかを判定する第五の処理手段と、当該ユーザ情報により暗号化印刷データを復号化する第六の処理手段とを有する、構成としてある。
【０００６】
ネットワーク印刷システムをこのような構成とすると、端末装置は、印刷情報をユーザ情報により暗号化すると共に、ユーザ情報を共通鍵を利用して暗号化して、これらの暗号化した印刷情報およびユーザ情報を一つの印刷データとして、ネットワークを介して送信する。
これにより、印刷装置は、ネットワークを介して上記印刷データを受信して、受信データが印刷データかユーザ登録用データか判別する。そして、受信データが印刷データの場合には、印刷装置は、共通鍵を確認した後、共通鍵によりユーザ情報を復号化して登録すると共に、ユーザ情報により暗号化された印刷データを復号化して、印刷を行なう。
なお、受信データがユーザ登録用データの場合には、印刷装置は、共通鍵を確認した後、共通鍵によりユーザ登録用データを復号化して、ユーザ情報として登録する。
【０００７】
このようにして、本発明によれば、印刷を行おうとする印刷情報と印刷装置に共通鍵を利用した一対一の関係ができる。したがって、例えば第三者が送信データに不正にアクセスしたとしても、送信データが暗号化されているので、第三者は当該送信データを解読することが不可能である。これにより、当該印刷情報の漏洩を防ぐことができる。
さらに、端末装置を使用するユーザは、印刷の際に印刷装置まで出向く必要がないことから、端末装置と印刷装置との間の距離の制限もなくなり、端末装置と印刷装置がネットワークで接続されている限り、端末装置も印刷装置も任意の場所に設置することが可能になる。
【０００８】
また、請求項２記載のネットワーク印刷システムは、前記第一の記憶手段が、ユーザ名，パスワードのユーザ情報を格納する構成としてある。
ネットワーク印刷システムをこのような構成とすると、ユーザ情報として、ユーザ名およびパスワードを使用することにより、これらのユーザ情報が第一の記憶手段に記憶されることにより、正規のユーザを特定することが可能になる。
【０００９】
また、請求項３記載のネットワーク印刷システムは、前記第一の処理手段が、ユーザ名とパスワードよりユーザ情報を特定し、さらにカメラによるユーザの顔画像の特徴情報を取得し、特定したユーザ情報および特徴情報により印刷情報を暗号化すると共に、ユーザ情報および特徴情報を印刷装置毎の共通鍵により暗号化し、暗号化した印刷情報および暗号化したユーザ情報を一つの印刷データにする構成としてある。
また、請求項４記載のネットワーク印刷システムは、前記第二の処理手段が、ユーザにより設定されたユーザ情報と、データ作成時に撮影されたユーザの顔画像の特徴情報とを、印刷装置毎の共通鍵により暗号化して、ユーザ登録用データを作成する構成としてある。
ネットワーク印刷システムをこのような構成とすると、ユーザ情報として、ユーザの生体情報とほぼ同様であるユーザの顔画像の特徴情報を付加することにより、正規ユーザの照合をより一層正確に行なうことができる。
【００１０】
また、請求項５記載のネットワーク印刷システムは、前記第二の記憶手段が、印刷装置毎の共通鍵を格納する構成としてある。
ネットワーク印刷システムをこのような構成とすると、ユーザは、端末装置からネットワークを介して接続された複数の印刷装置に対して、それぞれ第二の記憶手段に格納してある固有の共通鍵を利用することによって、印刷情報の印刷を行なうことが可能になる。
【００１１】
また、請求項６記載のネットワーク印刷システムは、前記第三の処理手段が、受信したデータが印刷データであるか登録データであるかを判別すると共に、正しい共通鍵により暗号化しているかを判別する構成としてある。
ネットワーク印刷システムをこのような構成とすると、印刷装置側にて、受信したデータに基づいて、印刷装置が印刷すべき印刷情報と、印刷の必要がないユーザ情報を判別することが可能となる。
【００１２】
また、請求項７記載のネットワーク印刷システムは、前記第四の処理手段が、ユーザ登録用データを共通鍵により復号化し、復号化したユーザ登録用データから共通鍵毎にユーザ登録用データを抽出し、抽出したユーザ登録用データを、前記第四の記憶手段に登録する構成としてある。
ネットワーク印刷システムをこのような構成とすると、ユーザ登録用データが、共通鍵毎に第四の記憶手段に登録されているので、受信データのユーザ登録用データを照合する際に、第四の記憶手段に登録されているユーザ登録用データを参照することができる。
【００１３】
また、請求項８記載のネットワーク印刷システムは、前記第五の処理手段が、受信したデータが印刷データの場合、受信データ中のユーザ情報を取り出し、前期第四の記憶手段中に一致するユーザ情報があるか否かを、ユーザ名、パスワード、顔画像情報により判定する構成としてある。
ネットワーク印刷システムをこのような構成とすると、受信した印刷データについて、第五の処理手段が、ユーザ名，パスワードおよび顔画像情報により、第四の記憶手段に登録されたユーザ情報を検索することによって、正規ユーザを、ユーザ情報に基づいてより一層正確に照合することができる。
【００１４】
また、請求項９記載のネットワーク印刷システムは、前記第六の処理手段が、第四の記憶手段に格納されているユーザ情報により、暗号化印刷データ中のユーザ情報以外の部分を復号化する構成としてある。
ネットワーク印刷システムをこのような構成とすると、暗号化印刷データから、実際の印刷データが、ユーザ情報により復号化されることにより、印刷情報が復元される。そして、この印刷情報に基づいて、印刷装置により印刷が行なわれることになる。
【００１５】
【発明の実施の形態】
以下、本発明のネットワーク印刷システムの実施の形態について、図１〜図７を参照して説明する。
図１は、本発明によるネットワーク印刷システムの一実施形態の構成を示している。
【００１６】
図１に示すように、ネットワーク印刷システム１０は、端末装置としてのコンピュータ１００と、印刷装置としてのプリンタ２００と、ネットワーク３００と、を設けてある。
なお、図１においては、コンピュータ１００およびプリンタ２００は、それぞれ一つだけ図示されているが、一つに限定されるものではない。
また、ネットワーク３００は、ＬＡＮ，ＷＡＮ等のネットワークであって、コンピュータ１００およびプリンタ２００をネットワーク接続するものである。
【００１７】
さらに、ネットワーク印刷システム１０において、プリンタ２００を使用することが出来る人を限定するために、プリンタ２００の管理者は、前もって印刷を許可するユーザに対して、共通鍵４００を与えると共に、プリンタ２００内に当該ユーザのための個人情報登録スペースを用意して、ユーザ情報を登録させることにより、共通鍵およびユーザ情報を利用することにより、ユーザを特定するようになっている。
【００１８】
上記コンピュータ１００は、印刷すべき印刷情報を、共通鍵４００により暗号化して、ネットワーク３００を介してプリンタ２００に出力するように構成されている。
そして、上記コンピュータ１００は、図２および図３に関連して後述するように、第一の記憶手段１０１，第二の記憶手段１０２，第一の処理手段１０３（図２参照）および第二の処理手段１０４（図３参照）と、カメラ１０５と、を備えている。
【００１９】
第一の記憶手段１０１は、前もってユーザのユーザ名およびパスワードがユーザ情報として登録されている。
また、第二の記憶手段１０２は、同様に前もってネットワーク印刷システム１０の管理者により与えられた共通鍵４００が登録されている。
【００２０】
第一の処理手段１０３は、図２に示すように、印刷実行時に、プリンタ２００により印刷しようとする印刷情報１１０に関して、第一の記憶手段１０１にアクセスして、第一の記憶手段１１０からユーザ名およびパスワードのユーザ情報１２０を取得すると共に、カメラ１０５からのユーザの顔画像の特徴情報（ユーザの顔画像の照合に必要な特定情報）を取得して、ユーザ情報１２０に付加し、さらに先頭に印刷データであることを示す文字列等の識別データを追加する。
そして、第一の処理手段１０３は、ユーザ情報のうちユーザ名およびパスワードにより上記印刷情報１１０を暗号化して、暗号化印刷情報１３０を作成する。
【００２１】
また、第一の処理手段１０３は、印刷を行なわせようとするプリンタ２００の共通鍵４００を第二の記憶手段１０２から取得して、この共通鍵４００によりユーザ情報１２０を暗号化して、暗号化ユーザ情報１４０を作成する。
そして、第一の処理手段１０３は、前記暗号化印刷情報１３０および暗号化ユーザ情報１４０を一つに纒めて印刷データ１５０を構築し、ネットワーク３００を介してプリンタ２００に送信するようになっている。
【００２２】
上記第二の処理手段１０４は、図３に示すように、ユーザ登録時に、ユーザのコンピュータ１００へのログイン名およびパスワードを使用して、第一の記憶手段１０１からユーザ名およびパスワードをユーザ情報１２０として取得する。
そして、上記第二の処理手段１０４は、カメラ１０５からのユーザの顔画像の特徴情報を取得して、ユーザ情報１２０に付加し、さらに先頭にユーザ登録用データであることを示す文字列等の識別データを追加する。
【００２３】
また、上記第二の処理手段１０４は、印刷を行なわせようとするプリンタ２００の共通鍵４００を第二の記憶手段１０２から取得して、この共通鍵４００によりユーザ情報１２０を暗号化して、ユーザ登録用データ１６０を作成し、ネットワーク３００を介してプリンタ２００に送信するようになっている。
【００２４】
これに対して、プリンタ２００は、通常の印刷情報を受信して、そのまま印刷を行なうと共に、上記印刷データ１５０またはユーザ登録用データ１６０を受信して、同様に共通鍵４００により復号化し、印刷を行なうように構成されている。
そして、上記プリンタ２００は、図４〜図７に関連して後述するように、第三の記憶手段２０１，第四の記憶手段２０２，第三の処理手段２０３，第四の処理手段２０４，第五の処理手段２０５および第六の処理手段２０６を備えている。
【００２５】
第三の記憶手段２０１は、当該プリンタ２００に固有の共通鍵４００が登録されている。
また、第四の記憶手段２０２は、ユーザ情報が逐次登録されるようになっている。
【００２６】
上記第三の処理手段２０３は、図４に示すように、入力データ判別部２０３ａにより、ネットワーク３００を介して受信した受信データ（印刷データ１５０またはユーザ登録用データ１６０）の判別を行なう。
その際、第三の処理手段２０３は、第三の記憶手段２０１から共通鍵４００を取得して、この共通鍵により、受信データの先頭部の復号化を行なうことにより、共通鍵の確認を行なう。これにより、暗号化印刷データ１５０またはユーザ登録用データ１６０の場合には、識別データが復号化され、また通常の印刷データ２１０の場合には、意味のない文字列等となる。したがって、先頭部の復号化により得られた識別データに基づいて、受信データの判別を行なうことができる。
【００２７】
そして、暗号化印刷データ１５０の場合には、引き続いて第四の処理手段２０４により処理が行なわれ、またユーザ登録用データ１６０の場合には、引き続いて第五の処理手段２０５により処理が行なわれる。なお、通常の印刷データ２１０の場合には、引き続いてそのままプリンタ２００による通常の印刷処理が行なわれる。
また、共通鍵の確認ができない場合には、第三の処理手段２０３は、処理を終了して、エラー出力２２０を行なう。
【００２８】
上記第四の処理手段２０４は、図５に示すように、ユーザ登録用データ１６０に関して、第三の記憶手段２０１からプリンタ２００の固有の共通鍵４００を取得して、この共通鍵４００によりユーザ登録用データ１６０を復号化して、ユーザ情報１２０を再構築する。
そして、第四の処理手段２０４は、この復号化したユーザ情報１２０に基づいて、ユーザ情報１２０内のユーザ名にて第四の記憶手段２０２内を検索して、当該ユーザ名以外の項目が登録されていない場合には、ユーザ情報１２０を第四の記憶手段２０２に登録する。
【００２９】
上記第五の処理手段２０５は、図６に示すように、暗号化された印刷データ１５０に関して、第三の記憶手段２０１からプリンタ２００の固有の共通鍵４００を取得して、この共通鍵４００により印刷データ１５０を復号化して、暗号化印刷情報１３０と、暗号化ユーザ情報１４０に分け、さらに共通鍵４００により暗号化ユーザ情報１４０を復号化して、ユーザ情報１２０を再構築する。
そして、第五の処理手段２０５は、ユーザ情報１２０と第四の記憶手段２０２に登録されているユーザ情報とを比較して、一致するユーザ情報を検索する。一致するユーザ情報が見つかった場合には、第五の処理手段２０５は、そのユーザ情報を登録済みユーザ情報２４０として、この登録済みユーザ情報２４０と暗号化印刷情報１３０を、第六の処理手段２０６に引き渡す。
なお、一致するユーザ情報が見つからない場合には、第五の処理手段２０５は、処理を終了して、エラー出力２３０を行なう。
【００３０】
上記第六の処理手段２０６は、図７に示すように、登録済みユーザ情報２４０と暗号化印刷情報１３０に関して、登録済みユーザ情報２４０により暗号化印刷情報１３０を復号化して、印刷情報１１０を再構築して、この印刷情報１１０をプリンタ２００の印刷部（図示せず）に出力する。これにより、プリンタ２００の印刷部は、この印刷情報１１０の印刷を行なう。
【００３１】
次に、本実施形態におけるユーザ情報の登録および印刷実行の処理について説明する。
まず、ユーザ情報の登録について説明する。
コンピュータ１００の第二の処理手段１０４が、第一の記憶手段１０１からユーザ情報１２０を取得すると共に、このユーザ情報１２０に対して、カメラ１０５から取得したユーザの顔画像の特徴情報と、ユーザ登録用データを示す識別データを付加する。
次に、第二の処理手段１０４は、第二の記憶手段１０４からプリンタ２００固有の共通鍵４００を取得して、この共通鍵４００によりユーザ情報１２０を暗号化して、ユーザ登録用データ１６０を作成して、ネットワーク３００を介してプリンタ２００に送信する。
【００３２】
これに対して、プリンタ２００の第三の処理手段２０３は、入力データ判別部２０３ａにより、第三の記憶手段２０１から取得した共通鍵４００に基づいて受信データをユーザ登録用データ１６０であると判別する。
これにより、第四の処理手段２０４は、ユーザ登録用データ１６０を、第三の記憶手段２０１から取得したプリンタ２００固有の共通鍵４００により復号化して、ユーザ情報１２０を再構築し、ユーザ情報１２０内に含まれるユーザ名にて、第四の記憶手段２０２に登録される。
このようにして、ユーザ情報１２０のプリンタ２００側での登録が完了する。
【００３３】
次に、印刷実行の処理について説明する。
コンピュータ１００の第一の処理手段１０３が、第一の記憶手段１０１からユーザ情報１２０を取得すると共に、このユーザ情報１２０に対して、カメラ１０５から取得したユーザの顔画像の特徴情報と、印刷データを示す識別データを付加する。
次に、第一の処理手段１０３は、ユーザ情報１２０のうちユーザ名およびパスワードにより印刷情報１１０を暗号化して、暗号化印刷情報１３０を作成すると共に、上記共通鍵４００によりユーザ情報１２０を暗号化して、暗号化ユーザ情報１４０を作成する。
その後、第一の処理手段１０３は、これらの暗号化印刷情報１３０および暗号化ユーザ情報１４０を一つに纒めて印刷データ１５０を構築して、ネットワーク３００を介してプリンタ２００に送信する。
【００３４】
これに対して、プリンタ２００の第三の処理手段２０３は、入力データ判別部２０３ａにより、第三の記憶手段２０１から取得した共通鍵４００に基づいて、受信データの先頭部を復号化することにより、印刷データ１５０または通常の印刷データであると判別する。
これにより、通常の印刷データの場合には、印刷データ２１０は、プリンタ２００の印刷部に出力され、印刷部により印刷データ２１０の印刷が行なわれる。
【００３５】
また、印刷データ１５０の場合には、第三の処理手段２０３は、当該印刷データ１５０を第五の処理手段２０５に出力する。
これにより、第五の処理手段２０５は、印刷データ１５０を、第三の記憶手段２０１から取得したプリンタ２００固有の共通鍵４００により復号化して、ユーザ情報１２０と暗号化印刷情報１３０に分ける。
そして、第五の処理手段２０５は、復号化したユーザ情報１２０と、第四の記憶手段２０２に登録されているユーザ情報とを比較・検索して、一致するユーザ情報が見つかった場合には、そのユーザ情報を登録済みユーザ情報２４０として、この登録済みユーザ情報２４０と暗号化印刷情報１３０を、第六の処理手段２０６に引き渡す。
【００３６】
これにより、第六の処理手段２０６は、登録済みユーザ情報２４０により暗号化印刷情報１３０を復号化して、印刷情報１１０を再構築し、この印刷情報１１０をプリンタ２００の印刷部（図示せず）に出力する。
これにより、プリンタ２００の印刷部は、この印刷情報１１０の印刷を行なう。
かくして、コンピュータ１００からネットワーク３００を介してプリンタ２００による印刷が行なわれる。
その際、ユーザがユーザ情報１２０により一対一で特定されると共に、ユーザ情報１２０が共通鍵４００により暗号化されることにより、第三者への印刷情報１１０の漏洩が防止され得ることになる。
【００３７】
上述した実施形態においては、印刷装置としてプリンタ２００が使用されているが、これに限らず、印刷情報の印刷出力が可能であれば、他の種類の印刷装置、例えばファクシミリ装置やデジタルコピー装置等が使用されてもよいことは明らかである。
【００３８】
【発明の効果】
以上のように、本発明によれば、印刷を行おうとする印刷情報と印刷装置に共通鍵を利用した一対一の関係ができる。したがって、例えば第三者が送信データに不正にアクセスしたとしても、送信データが暗号化されているので、第三者は当該送信データを解読することが不可能である。これにより、当該印刷情報の漏洩を防ぐことができる。
さらに、端末装置を使用するユーザは、印刷の際に印刷装置まで出向く必要がないことから、端末装置と印刷装置との間の距離の制限もなくなり、端末装置と印刷装置がネットワークで接続されている限り、端末装置も印刷装置も任意の場所に設置することが可能になる。
このようにして、本発明によれば、印刷装置とユーザの印刷データに一対一の関係をつくることによって、印刷装置とユーザの距離に関する制約をなくすようにした、ネットワーク印刷システムを提供することができる。
【図面の簡単な説明】
【図１】本発明によるネットワーク印刷システムの一実施形態の構成を示すブロック図である。
【図２】図１のネットワーク印刷システムにおけるコンピュータの第一の処理手段の構成を示す概略図である。
【図３】図１のネットワーク印刷システムにおけるコンピュータの第二の処理手段の構成を示す概略図である。
【図４】図１のネットワーク印刷システムにおけるコンピュータの第三の処理手段の構成を示す概略図である。
【図５】図１のネットワーク印刷システムにおけるコンピュータの第四の処理手段の構成を示す概略図である。
【図６】図１のネットワーク印刷システムにおけるコンピュータの第五の処理手段の構成を示す概略図である。
【図７】図１のネットワーク印刷システムにおけるコンピュータの第六の処理手段の構成を示す概略図である。
【符号の説明】
１０  ネットワーク印刷システム
１００  コンピュータ（端末装置）
１０１  第一の記憶手段
１０２  第二の記憶手段
１０３  第一の処理手段
１０４  第二の処理手段
１１０  印刷情報
１２０  ユーザ情報
１３０  暗号化印刷情報
１４０  暗号化ユーザ情報
１５０  印刷データ
２００  プリンタ（印刷装置）
２０１  第三の記憶手段
２０２  第四の記憶手段
２０３  第三の処理手段
２０４  第四の処理手段
２０５  第五の処理手段
２０６  第六の処理手段
３００  ネットワーク
４００  共通鍵
【図１】
0003904964.tif 000002
【図２】
0003904964.tif 000003
【図３】
0003904964.tif 000004
【図４】
0003904964.tif 000005
【図５】
0003904964.tif 000006
【図６】
0003904964.tif 000007
【図７】
0003904964.tif 000008